(57)【要約】【課題】大電流、高電圧に耐え、製造も比較的容易で、接続角度を固定することが出来る蓄電池装置のコネクタを提供することである。【解決手段】本実施形態のコネクタは、第一のコネクタ部材と、この第一のコネクタ部材に接続される第二のコネクタ部材から成るコネクタであって、前記第一のコネクタ部材は、中空の多角形状であり、多角形の各辺の前記第二のコネクタ部材と対向する端部から所定長のスリットが形成された第一の電極部を有し、前記第二のコネクタ部材は、前記第一の電極部と同一の多角形状であり、前記第一の電極部の外周面に接する内周面を有するとともに、多角形の各辺の前記第一のコネクタ部材と対向する端部から所定長のスリットが形成された第二の電極部を有している。【選択図】図２
2017183190.tif 000002
【特許請求の範囲】
【請求項１】
第一のコネクタ部材と、この第一のコネクタ部材に接続される第二のコネクタ部材から
成るコネクタであって、
前記第一のコネクタ部材は、中空の多角形状であり、多角形の各辺の前記第二のコネク
タ部材と対向する端部から所定長のスリットが形成された第一の電極部を有し、
前記第二のコネクタ部材は、前記第一の電極部と同一の多角形状であり、前記第一の電
極部の外周面に接する内周面を有するとともに、多角形の各辺の前記第一のコネクタ部材
と対向する端部から所定長のスリットが形成された第二の電極部を有する
コネクタ。
【請求項２】
前記第一のコネクタ部材は、前記第一の電極部の周囲に更に第一のガイド部材を備え、
前記第二のコネクタ部材は、前記第二の電極部の周囲に更に第二のガイド部材を備え、
前記第一のガイド部材及び前記第二のガイド部材のうち一方のガイド部材は、中空の多
角形状であり、多角形の各面に凸部を有し、
前記第一のガイド部材及び前記第二のガイド部材のうち他方のガイド部材は、中空の多
角形状であり、多角形の各面に前記凸部に嵌合する凹部を有する
請求項１に記載のコネクタ。
【請求項３】
前記凸部は前記多角形の少なくとも一つの面に形成されている
請求項２に記載のコネクタ。
【発明の詳細な説明】
【技術分野】
【０００１】
本発明の実施形態は、蓄電池装置のコネクタに関する。
【背景技術】
【０００２】
複数の電池セルを収容した複数の蓄電池装置は、ハーネスを介して電気的に接続される
。大電流、高電圧用途のハーネスの場合、配線径が大きく、ハーネスの曲げ半径が大きく
なるため、ハーネスの配線経路に制約が生じている。よって、ハーネスの曲げ半径を小さ
くできるよう、ハーネスを保持するコネクタ部を回転できるコネクタ部材構造が望まれ、
また、大電流、高電圧に耐えうるよう、接触面積を大きくした円形の金属同士を接触させ
たコネクタ部材構造が望まれる。
【先行技術文献】
【特許文献】
【０００３】
【特許文献１】特開２０１１−７７１５号公報
【発明の概要】
【発明が解決しようとする課題】
【０００４】
しかしながら、円同士を接触させる円形のコネクタ部材は、許容公差が小さく製造上の難
度が高い。また、配線後は配線経路を変える必要がないという観点から、円形のコネクタ
部材は接続角度が変わってしまうため適していない。そこで、本発明が解決しようとする
課題は、大電流、高電圧に耐え、製造も比較的容易で、接続角度を固定することが出来る
蓄電池装置のコネクタを提供することである。
【課題を解決するための手段】
【０００５】
上記の課題を解決するために、本実施形態のコネクタは、第一のコネクタ部材と、この
第一のコネクタ部材に接続される第二のコネクタ部材から成るコネクタであって、前記第
一のコネクタ部材は、中空の多角形状であり、多角形の各辺の前記第二のコネクタ部材と
対向する端部から所定長のスリットが形成された第一の電極部を有し、前記第二のコネク
タ部材は、前記第一の電極部と同一の多角形状であり、前記第一の電極部の外周面に接す
る内周面を有するとともに、多角形の各辺の前記第一のコネクタ部材と対向する端部から
所定長のスリットが形成された第二の電極部を有している。
【図面の簡単な説明】
【０００６】
【図１】第１及び第２の実施形態に係るコネクタの斜視図。
【図２】第１の実施形態に係るコネクタ部材の接続部の斜視図。
【図３】第１の実施形態に係るコネクタ部材の接続部の断面図。
【図４】第１の実施形態に係るコネクタ部材の斜視図。
【図５】第１の実施形態に係るコネクタ部材の斜視図。
【図６】第１の実施形態の変形例１に係るコネクタ部材の斜視図。
【図７】第１の実施形態の変形例１に係るコネクタ部材の接続部の断面図。
【図８】第１の実施形態の変形例２に係るコネクタ部材の接続部の斜視図。
【図９】第１の実施形態の変形例２に係るコネクタ部材の接続部の断面図。
【図１０】第１の実施形態の変形例３に係るコネクタ部材の接続部の斜視図。
【図１１】第１の実施形態の変形例３に係るコネクタ部材の接続部の断面図。
【図１２】第１の実施形態に係るコネクタおよび蓄電池装置の斜視図。
【図１３】第１の実施形態に係るコネクタおよび蓄電池装置の斜視図。
【図１４】第１の実施形態に係るコネクタおよび蓄電池装置の斜視図。
【図１５】第１の実施形態に係るコネクタおよび蓄電池装置の斜視図。
【図１６】第２の実施形態に係るコネクタ部材の接続部の斜視図。
【図１７】第２の実施形態に係るコネクタ部材の接続部の断面図。
【図１８】第２の実施形態に係るコネクタ部材の接続部の斜視図。
【図１９】第２の実施形態に係るコネクタ部材の接続部の断面図。
【図２０】第２の実施形態の変形例１に係るコネクタ部材の接続部の斜視図。
【図２１】第２の実施形態の変形例１に係るコネクタ部材の接続部の断面図。
【図２２】第２の実施形態の変形例２に係るコネクタ部材の接続部の斜視図。
【図２３】第２の実施形態の変形例２に係るコネクタ部材の接続部の断面図。
【図２４】第２の実施形態の変形例３に係るコネクタ部材の接続部の斜視図。
【図２５】第２の実施形態の変形例３に係るコネクタ部材の接続部の断面図。
【発明を実施するための形態】
【０００７】
以下、実施形態を図面に基づき説明する。
【０００８】
（第１の実施形態）
図１は、実施形態に係るコネクタ２の外観を示す斜視図である。
【０００９】
図１に示す通り、コネクタ２は、例えば、蓄電池装置１００の主回路（主回路とは例え
ば、蓄電池装置１００の有する複数の電池セルを電気的に接続する回路）に接続される第
一の四角コネクタ部材６と、例えば、他の蓄電池装置の主回路や、モータ等の負荷に接続
するためのハーネス４に接続される第二の四角コネクタ部材８と、を備えている。これら
第一の四角コネクタ部材６及び第二の四角コネクタ部材８は互いに嵌合して電気的に接続
される構造となっている。以下、その構造を図２及び図３を用いて詳しく説明する。
【００１０】
図２は、実施形態に係る第一の四角コネクタ部材６と第二の四角コネクタ部材８の接続
部分の斜視図である。第一の四角コネクタ部材６及び第二の四角コネクタ部材８の接続部
分はともに導電性の金属板により形成されている。第一の四角コネクタ部材６は、第二の
四角コネクタ部材８と接続する方向に垂直な平面に対して、中空の四角形断面を有し、第
二の四角コネクタ部材８は第一の四角コネクタ部材６と接続する方向に垂直な平面に対し
て、中空の四角形断面を有している。また、第一の四角コネクタ部材６の外周面とこの外
周面に対向する第二の四角コネクタ部材８の内周面は、略同一の形状に形成されている。
【００１１】
さらに、第一の四角コネクタ部材６は、第二の四角コネクタ部材８との接続部分（電極
部）である前記中空の四角形断面の４つの頂点部分にスリット１４が形成されており、こ
れらのスリットにより、部分的に独立した金属板１０が第一の四角コネクタ部材６に四枚
形成されている。
【００１２】
第二の四角コネクタ部材８についても同様に、第一の四角コネクタ部材６との接続部分
（電極部）である前記中空の四角形断面の４つの頂点部分にスリット１６が形成されてお
り、これらのスリットにより、部分的に独立した金属板１２が第二の四角コネクタ部材８
に四枚形成されている。
【００１３】
図３は、図１に示すＡ−Ａ´線断面図であり、第一の四角コネクタ部材６と第二の四角
コネクタ部材８が嵌合しているときの様子を示している。第一の四角コネクタ部材６の四
角形断面外周は第二の四角コネクタ部材８の四角形断面の内周に当接し、電気的に接続さ
れている。
【００１４】
続いて、第一の四角コネクタ部材６及び第二の四角コネクタ部材８の部分的に独立した
金属板を有していない側の端部の構造を図４及び図５を用いて説明する。
【００１５】
第一の四角コネクタ部材６の、第二の四角コネクタ部材８のスリット１６が形成されて
いない側の端部は、例えば蓄電池装置１００の主回路のバスバーに接続できるように、圧
延されて板状になっている。その板状部には透孔９０が設けられており、例えば導電性の
ネジ等が第一の四角コネクタ部材６との接触しつつ透孔９０を挿通し、蓄電池装置１００
の主回路に接続されるバスバーに接触することで、第一の四角コネクタ部材６と主回路と
を電気的に接続することができる。
【００１６】
第二の四角コネクタ部材８の、第一の四角コネクタ部材６の金属板１２を有していない
側の端部は、例えばハーネス４と接続できるように圧延され、ハーネス４の形状に合った
形状になり、電気的に接続されている。
【００１７】
これら、コネクタ部材端部の構造はあくまで一例であり、接続する対象によって適宜変
更できるものである。
【００１８】
（第１の実施形態の変形例１）
変形例１では、第一の四角コネクタ部材６及び第二の四角コネクタ部材８の断面形状が
異なる部分がある。
【００１９】
図６は第一の六角コネクタ部材１８と第二の六角コネクタ部材２０の接続部分の斜視図で
ある。第一の六角コネクタ部材１８は、第二の六角コネクタ部材２０と接続する方向に垂
直な平面に対して、中空の六角形断面を有し、第二の六角コネクタ部材２０は第一の六角
コネクタ部材１８と接続する方向に垂直な平面に対して、中空の六角形断面を有している
。また、第一の六角コネクタ部材１８の外周面とこの外周面に対向する第二の六角コネク
タ部材２０の内周面は、略同一の形状に形成されている。
【００２０】
さらに、第一の六角コネクタ部材１８は、第二の六角コネクタ部材２０との接続部分で
ある前記中空の六角形断面の６つの頂点部分にスリット２６が形成されており、これらの
スリットにより、部分的に独立した金属板２２が第一の六角コネクタ部材１８に六枚形成
されている。
【００２１】
第二の六角コネクタ部材２０についても同様に、第一の六角コネクタ部材１８との接続
部分である前記中空の六角形断面の６つの頂点部分にスリット２８が形成されており、こ
れらのスリットにより、部分的に独立した金属板２４が第二の六角コネクタ部材２０に六
枚形成されている。
【００２２】
図７は、図１に示すＡ−Ａ´線断面図であり、第一の六角コネクタ部材１８と第二の六
角コネクタ部材２０が嵌合しているときの様子を示している。第一の六角コネクタ部材１
８の六角形断面外周は第二の六角コネクタ部材２０の六角形断面の内周に当接し、電気的
に接続されている。
【００２３】
（第１の実施形態の変形例２）
変形例２では、第一の四角コネクタ部材６及び第二の四角コネクタ部材８の断面形状が異
なる部分がある。
【００２４】
図８は第一の八角コネクタ部材３０と第二の八角コネクタ部材３２の接続部分の斜視図で
ある。第一の八角コネクタ部材３０は、第二の八角コネクタ部材３２と接続する方向に垂
直な平面に対して、中空の八角形断面を有し、第二の八角コネクタ部材３２は第一の八角
コネクタ部材３０と接続する方向に垂直な平面に対して、中空の八角形断面を有している
。また、第一の八角コネクタ部材３０の外周面とこの外周面に対向する第二の八角コネク
タ部材３２の内周面は、略同一の形状に形成されている。
【００２５】
さらに、第一の八角コネクタ部材３０は、第二の八角コネクタ部材３２との接続部分で
ある前記中空の八角形断面の８つの頂点部分にスリット３８が形成されており、これらの
スリットにより、部分的に独立した金属板３４が第一の八角コネクタ部材３０に八枚形成
されている。
【００２６】
第二の八角コネクタ部材３２についても同様に、第一の八角コネクタ部材３０との接続
部分である前記中空の八角形断面の８つの頂点部分にスリット４０が形成されており、こ
れらのスリットにより、部分的に独立した金属板３６が第二の八角コネクタ部材３２に八
枚形成されている。
【００２７】
図９は、図１に示すＡ−Ａ´線断面図であり、第一の八角コネクタ部材３０と第二の八
角コネクタ部材３２が嵌合しているときの様子を示している。第一の八角コネクタ部材３
０の八角形断面外周は第二の八角コネクタ部材３２の八角形断面の内周に当接し、電気的
に接続されている。
【００２８】
（第１の実施形態の変形例３）
変形例３では、第一の四角コネクタ部材６及び第二の四角コネクタ部材８の断面形状が異
なる部分がある。
【００２９】
図１０は第一の十二角コネクタ部材４２と第二の十二角コネクタ部材４４の接続部分の斜
視図である。第一の十二角コネクタ部材４２は、第二の十二角コネクタ部材４４と接続す
る方向に垂直な平面に対して、中空の十二角形断面を有し、第二の十二角コネクタ部材４
４は第一の十二角コネクタ部材４２と接続する方向に垂直な平面に対して、中空の十二角
形断面を有している。また、第一の十二角コネクタ部材４２の外周面とこの外周面に対向
する第二の十二角コネクタ部材４４の内周面は、略同一の形状に形成されている。
【００３０】
さらに、第一の十二角コネクタ部材４２は、第二の十二角コネクタ部材４４との接続部
分である前記中空十二角形断面の十二個の頂点部分にスリット５０が形成されており、こ
れらのスリットにより、部分的に独立した金属板４６が第一の十二角コネクタ部材４２に
十二枚形成されている。
【００３１】
第二の十二角コネクタ部材４４に対しても同様に、第一の十二角コネクタ部材４２との
接続部分である前記中空の十二角形断面の十二個の頂点部分にスリット５２が形成されて
おり、これらのスリットにより、部分的に独立した金属板４８が第二の十二角コネクタ部
材４４に十二枚形成されている。
【００３２】
図１１は、図１に示すＡ−Ａ´線断面図であり、第一の十二角コネクタ部材４２と第二
の十二角コネクタ部材４４が嵌合しているときの様子を示している。第一の十二角コネク
タ部材４２の十二角形断面外周は第二の十二角コネクタ部材４４の十二角形断面の内周に
当接し、電気的に接続されている。
【００３３】
上記の第１の実施形態によれば、第一のコネクタ部材（第一の四角コネクタ部材６、第
一の六角コネクタ部材１８、第一の八角コネクタ部材３０、第一の十二角コネクタ部材４
２の総称）及び第二のコネクタ部材（第二の四角コネクタ部材８、第二の六角コネクタ部
材２０、第二の八角コネクタ部材３２、第二の十二角コネクタ部材４４の総称）を用いる
ことで、第一のコネクタ部材の金属板と、第二のコネクタ部材の金属板を介して互いに電
気的に接続される。
【００３４】
これらのコネクタ部材の金属板は、例えば図１に示すＡ−Ａ´線の断面図における中心
部に配置されるのでなく、外周部に沿って配置することができる。そのため、金属板の面
積を大きく取ることができ、コネクタ部材の同士の接触面積を大きくできる。よって、高
電圧、大容量用途のコネクタとして用いることができる。
【００３５】
また、一般的に２つの部材同士を接触させる際、公差を小さく取らなければ適切な接触
面積を確保できないが、上述した実施形態のように、スリット１４、スリット１６等を設
け金属板を部分的に独立させることで、金属板の接触角度に幅を持たせることができる。
よって、第一のコネクタ部材、第二のコネクタ部材の公差を吸収でき、適切な接触面積を
確保することが可能となる。また、公差を大きく取ることができるので、コネクタの製造
も容易になる。
【００３６】
例えば図１２及び図１３に示すように、蓄電池装置１００にコネクタ２を設ける際に、
ハーネス４が延びる方向を変更することができる。例えば、第一の実施形態のように、第
一の四角コネクタ部材６及び第二の四角コネクタ部材８を用いることで、図１２でのハー
ネスが延びる方向（０時の方向とする）を、図１３のように３時の方向に変更することが
できる。同様にして、第一の四角コネクタ部材６及び第二の四角コネクタ部材８を用いる
ことで、ハーネスの延びる方向を９０度ずつ変更することができる。
【００３７】
また、第一の十二角コネクタ部材４２及び第二の十二角コネクタ部材４４を用いること
で、例えば図１２でのハーネスが延びる方向（０時の方向とする）を、図１４のように１
時の方向に変更することができる。同様にして、第一の十二角コネクタ部材４２及び第二
の十二角コネクタ部材４４を用いることで、ハーネスの延びる方向を３０度ずつ変更する
ことができる。
【００３８】
さらに、図示しないが、第一の六角コネクタ部材１８及び第二の六角コネクタ部材２０
を用いることで、例えばハーネスが延びる方向を６０度ずつ変更することができ、第一の
八角コネクタ部材３０及び第二の八角コネクタ部材３２を用いることで、例えばハーネス
が延びる方向を４５度ずつ変更することができる。
【００３９】
このように、Ｘ角形断面を接続部に有するコネクタ部材を用いることで、３６０／Ｘ度
ずつ、例えばハーネス等の延びる角度が変更できる。よって、例えば、図１５に示すよう
に、複数の蓄電池装置１００を接続する際に、ハーネス４の配線経路を最短距離に近いも
のにすることができる。高電圧、大容量の蓄電地装置で用いるハーネスの場合、ハーネス
の配線径が太くなり、曲げＲが大きくなることから蓄電池装置１００の設置方法に制約が
生じる事があるが、コネクタ２を用いることでハーネスを大きく曲げることなく、ハーネ
スが延びる角度を変更することができるため、蓄電池装置１００の設置方法に制約が生じ
ることが少なく、複数の蓄電池装置１００を設置する際の省スペース化にもつながる。
【００４０】
さらに、上記の実施形態によれば、コネクタ２は多角形断面の嵌合によって接続されて
いる為、人の意志によらずハーネス等の延びる角度が変わってしまうことがない。そのた
め、蓄電池装置１００の接続に用いる際等、一度ハーネスの配線が決まってしまえば、そ
の配線が人の意志によらず変わることを好まない場合等に、好適である。
【００４１】
また、例えばハーネスの配線長さが長く、蓄電池装置１００の周りに多くのハーネスが
配置されていると、蓄電池装置１００から発せられる熱の放熱が阻害されることがあるが
、コネクタ２を用いることでハーネス長さが短くなり、このような蓄電池装置１００から
の放熱の阻害が抑制される。
【００４２】
さらに、コネクタ２を用いることで例えばハーネス長さが短くなり、ハーネスにかかる
コストを削減することができる。
【００４３】
（第２の実施形態）
第２の実施形態では、第一のコネクタ部材及び第二のコネクタ部材の構造が第１の実施
形態と異なる部分がある。したがって、第１の実施形態と同一の箇所には同一の符号を付
して、詳細の説明は適宜省略する。
【００４４】
本実施形態では、第一のコネクタ部材及び第二のコネクタ部材の互いの接続部の周辺部
に、溝及び突起部を有した部材（ガイド部材）を備えている。以下、その構造を図１６乃
至図１９を用いて説明する。
【００４５】
図１６は、実施形態に係る第三の四角コネクタ部材５３及び第四の四角コネクタ部材５
７の接続部分の斜視図である。
【００４６】
第三の四角コネクタ部材５３は金属板１０の周囲に、第四の四角コネクタ部材５７と接
続する方向に垂直な平面に対して、中空の四角形断面を有する部材５４（コネクタ部材）
を備えている。部材５４の前記四角形断面外周面の各辺上には凸部５６が形成されている
。ここでは、凸部５６は前記平面に対して四角形断面を有している。
【００４７】
第四の四角コネクタ部材５７は金属板１２の周囲に、第三の四角コネクタ部材５３と接
続する方向に垂直な平面に対して、中空の四角形断面を有する部材５８（コネクタ部材）
を備えている。部材５８の前記四角形断面内周面の各辺上には凹部６０が形成されている
。ここでは、凹部６０は前記平面に対して四角形断面を有し、また、第三の四角コネクタ
部材５３が有する凸部５６に嵌合する形状となっている。
【００４８】
図１７は、図１に示すＡ−Ａ´線断面図であり、第三の四角コネクタ部材５３と第四の
四角コネクタ部材５７が嵌合したときの様子を示している。第三の四角コネクタ部材５３
の有する金属板１０と第四の四角コネクタ部材５７の有する金属板１２が電気的に接続さ
れている。
【００４９】
さらに、金属板１２の外周に部材５４並びに部材５８を備え、部材５４の有する凸部５
６が部材５８の有する凹部６０に嵌合している。
【００５０】
図１８は実施形態に係る第三の八角コネクタ部材６１の斜視図である。
【００５１】
第三の八角コネクタ部材６１は金属板３４の周囲に、第四の四角コネクタ部材と接続する
方向に垂直な平面に対して、中空の四角形断面を有する部材６２を備えている。部材６２
の前記八角形断面外周面の各辺上には凸部６４が形成されている。ここでは、凸部６４は
前記平面に対して四角形断面を有している。また、図１８では省略しているが、対応する
第四の八角コネクタ部材は金属板３６の周囲に、第三の八角コネクタ部材６１と接続する
方向に垂直な平面に対して、中空の八角形断面を有する部材６６を備えている。部材６６
の前記八角形断面内周面の各辺上には凹部６８を有している。ここでは、凹部６８は前記
平面に対して四角形断面を有し、また、第三の八角コネクタ部材６１が有する凸部６４に
嵌合する形状となっている。
【００５２】
図１９は、図１に示すＡ−Ａ´線断面図であり、第三の八角コネクタ部材６１の有する
部材６２と第四の八角コネクタ部材の有する部材６６のみを示している。このように、部
材６２の有する凸部６４が部材６６の有する凹部６８に嵌合している。
【００５３】
上記のように、六角形断面を有するコネクタ部材（第三の六角コネクタ部材、第四の六
角コネクタ部材）、十二角形断面を有するコネクタ部材（第三の十二角コネクタ部材、第
四の十二角コネクタ部材）も同様に金属板の周囲に凹部若しくは凸部を有する部材が備え
られている。
【００５４】
（第２の実施形態の変形例１）
変形例１では、第三のコネクタ部材（第三の四角コネクタ部材５３、第三の六角コネク
タ部材、第三の八角コネクタ部材６１、第三の十二角コネクタ部材の総称）及び第四のコ
ネクタ部材（第四の四角コネクタ部材５７、第四の六角コネクタ部材、第四の八角コネク
タ部材、第四の十二角コネクタ部材の総称）の外周部が有する凸部及び凹部の断面形状が
異なる部分がある。以下、図２０及び図２１を用いて説明する。
【００５５】
図２０は八角形断面を有する第三の八角コネクタ部材６１の斜視図である。第三の八角
コネクタ部材６１は金属板３４の周囲に、第四の四角コネクタ部材と接続する方向に垂直
な平面に対して、中空の四角形断面を有する部材６２を備えている。部材６２の前記八角
形断面外周面の各辺上には凸部７０が形成されている。ここでは、凸部７０は前記平面に
対して円形断面を有している。また、図示していないが、対応する第四の八角コネクタ部
材における部材６６の前記八角形断面内周面の各辺上には凹部７２を有している。ここで
は、凹部７２は前記平面に対して円形断面を有し、また、第三の八角コネクタ部材６１が
有する凸部７０に嵌合する形状となっている。
【００５６】
図２１は、図１に示すＡ−Ａ´線断面図であり、第三の八角コネクタ部材６１の有する
部材６２と第四の八角コネクタ部材の有する部材６６のみを示している。このように、部
材６２の有する凸部７０が部材６６の有する凹部７２に嵌合している。
【００５７】
（第２の実施形態の変形例２）
変形例２では、第三のコネクタ部材及び第四のコネクタ部材の外周部が有する凸部及び
凹部の断面形状が異なる部分がある。以下、図２２及び図２３を用いて説明する。
【００５８】
図２２は八角形断面を有する第三の八角コネクタ部材６１の斜視図である。第三の八角
コネクタ部材６１は金属板３４の周囲に、第四の四角コネクタ部材と接続する方向に垂直
な平面に対して、中空の四角形断面を有する部材６２を備えている。部材６２の前記八角
形断面外周面の各辺上には凸部７４が形成されている。ここでは、凸部７４は前記平面に
対して略三角形断面を有している。また、図示していないが、対応する第四の八角コネク
タ部材における部材６６の前記八角形断面内周面の各辺上には凹部７６を有している。こ
こでは、凹部７６は前記平面に対して略三角形断面を有し、また、第三の八角コネクタ部
材６１が有する凸部７４に嵌合する形状となっている。
【００５９】
図２３は、図１に示すＡ−Ａ´線断面図であり、第三の八角コネクタ部材６１の有する
部材６２と第四の八角コネクタ部材の有する部材６６のみを示している。このように、部
材６２の有する凸部７４が部材６６の有する凹部７６に嵌合している。
【００６０】
（第２の実施形態の変形例３）
変形例３では、第三のコネクタ部材及び第四のコネクタ部材の外周部が有する凸部及び
凹部の断面形状が異なる部分がある。以下、図２４及び図２５を用いて説明する。
【００６１】
図２４は八角形断面を有する第三の八角コネクタ部材６１の斜視図である。第三の八角
コネクタ部材６１は金属板３４の周囲に、第四の四角コネクタ部材と接続する方向に垂直
な平面に対して、中空の四角形断面を有する部材６２を備えている。部材６２の前記八角
形断面外周面の各辺上には凸部７８が形成されている。ここでは、凸部７８は前記平面に
対して略台形断面を有している。また、図示していないが、対応する第四の八角コネクタ
部材における部材６６の前記八角形断面内周面の各辺上には凹部８０を有している。ここ
では、凹部８０は前記平面に対して略台形断面を有し、また、第三の八角コネクタ部材６
１が有する凸部７８に嵌合する形状となっている。
【００６２】
図２５は、図１に示すＡ−Ａ´線断面図であり、第三の八角コネクタ部材６１の有する
部材６２と第四の八角コネクタ部材の有する部材６６のみを示している。このように、部
材６２の有する凸部７８が部材６６の有する凹部８０に嵌合している。
【００６３】
上記の第二の実施形態によれば、第三のコネクタ部材と第四のコネクタ部材とを接続し
た際に、金属板の周囲に設けられた部材の有する凸部及び凹部が互いに嵌合される。よっ
て、コネクタ部材の回転を防ぐことが出来る。
【００６４】
また、第三のコネクタ部材と第四のコネクタ部材を接続する際に、金属板の周囲に設け
られた部材の有する凹部及び凸部によって接続角度が規制されるため、接続する際のガイ
ドとしての機能を果たすことが出来、コネクタ部材同士の接続が容易になる。
【００６５】
本発明のいくつかの実施形態を説明したが、これらの実施形態は、例として提示したもの
であり、発明の範囲を限定することは意図していない。これら実施形態は、その他の様々
な形態で実施されることが可能であり、発明の要旨を逸脱しない範囲で、種々の省略、置
き換え、変更を行うことができる。これら実施形態やその変形は、発明の範囲や要旨に含
まれると同様に、特許請求の範囲に記載された発明とその均等の範囲に含まれるものであ
る。
【符号の説明】
【００６６】
２…コネクタ、４…ハーネス、６…第一の四角コネクタ部材、８…第二の四角コネクタ部
材、１０、１２、２２、２４、３４、３６…金属板、１４、１６、２６、２８、３８、４
０…スリット、１８…第一の六角コネクタ部材、２０…第二の六角コネクタ部材、３０…
第一の八角コネクタ部材、３２…第二の八角コネクタ部材、５３…第三の四角コネクタ部
材（ガイド部材）、５７…第四の四角コネクタ部材、５６、６４、７０、７４、７８…凸
部、６０、６８、７２、７６、８０…凹部
【図１】
2017183190.tif 000003
【図２】
2017183190.tif 000004
【図３】
2017183190.tif 000005
【図４】
2017183190.tif 000006
【図５】
2017183190.tif 000007
【図６】
2017183190.tif 000008
【図７】
2017183190.tif 000009
【図８】
2017183190.tif 000010
【図９】
2017183190.tif 000011
【図１０】
2017183190.tif 000012
【図１１】
2017183190.tif 000013
【図１２】
2017183190.tif 000014
【図１３】
2017183190.tif 000015
【図１４】
2017183190.tif 000016
【図１５】
2017183190.tif 000017
【図１６】
2017183190.tif 000018
【図１７】
2017183190.tif 000019
【図１８】
2017183190.tif 000020
【図１９】
2017183190.tif 000021
【図２０】
2017183190.tif 000022
【図２１】
2017183190.tif 000023
【図２２】
2017183190.tif 000024
【図２３】
2017183190.tif 000025
【図２４】
2017183190.tif 000026
【図２５】
2017183190.tif 000027